(57)【要約】【課題】壁に背面を対向させて設置される調湿ユニットについて、調湿ユニットの設置の自由度を向上させて調湿ユニットを設置できないケースを減らす。【解決手段】ケーシング５０は、鉛直方向に沿う壁面に背面を対向させて設置され、背面に対向する正面５０ａ及び正面５０ａと背面との間にある側面である左側面５０ｆを有する。加湿ホース３６は、ケーシング５０の配置されている第１空間である室外から壁で隔絶された第２空間である室内に対して、吸着ロータから水分を与えられた再生後空気を送る送出部材である。ケーシング５０には、加湿ホース３６をケーシング５０の内側から外側に出して配置することのできる開口部５５が左側面５０ｆに形成されている。【選択図】図６
2018179364.tif 000002
【特許請求の範囲】
【請求項１】
鉛直方向に沿う壁に背面を対向させて設置され、前記背面に対向する正面及び前記正面と前記背面との間にある側面（５０ｃ〜５０ｆ）を有するケーシング（５０，５０Ａ〜５０Ｆ，５０Ｈ，５０Ｊ）と、
前記ケーシングに収納され、回転して水分の吸着と脱離とを繰り返す吸着ロータ（３２）と、
前記ケーシングの配置されている第１空間から前記壁で隔絶された第２空間に対して、前記吸着ロータから水分を与えられた再生後空気を送る送出部材（３６，３６Ａ，３７）と
を備え、
前記ケーシングは、前記送出部材を前記ケーシングの内側から外側に出して配置することのできる少なくとも一つの開口部（５５，５５ａ〜５５ｃ）が前記側面に形成されている、調湿ユニット。
【請求項２】
鉛直方向に沿う壁に背面を対向させて設置され、前記背面に対向する正面と前記正面と前記背面との間にある側面（５０ｃ〜５０ｆ）とを有するケーシング（５０Ｇ〜５０Ｊ）と、
前記ケーシングに収納され、回転して水分の吸着と脱離とを繰り返す吸着ロータ（３２）と、
前記ケーシングの配置されている第１空間から前記壁で隔絶された第２空間に対して、前記吸着ロータに水分を奪われた吸着後空気を送る送出部材（３６Ａ，３７）と
を備え、
前記ケーシングは、前記送出部材を前記ケーシングの内側から外側に出して配置することのできる少なくとも一つの開口部（５５，５５ａ〜５５ｃ）が前記側面に形成されている、調湿ユニット。
【請求項３】
前記少なくとも一つの開口部は、前記ケーシングの前記側面に形成されている第１開口部と第２開口部とを含む、
請求項１または請求項２に記載の調湿ユニット。
【請求項４】
前記少なくとも一つの開口部は、前記ケーシングの前記側面に形成されている第３開口部をさらに含む、
請求項３に記載の調湿ユニット。
【請求項５】
前記ケーシングは、互いに異なる第１側面と第２側面とを含み、前記第１開口部が前記第１側面に形成され、前記第２開口部が前記第２側面に形成されている、
請求項３に記載の調湿ユニット。
【請求項６】
前記ケーシングは、前記第１側面と前記第２側面が互いに対向する、
請求項５に記載の調湿ユニット。
【請求項７】
前記ケーシングは、前記側面が前記第１側面と前記第２側面との間に配置されている第３側面をさらに含み、前記少なくとも一つの開口部が前記第３側面に形成されている第３開口部をさらに含む、
請求項５又は請求項６に記載の調湿ユニット。
【請求項８】
前記ケーシングは、前記吸着ロータに水分を奪われた吸着後空気を吹き出す吸着用ファン吹出口が前記側面に形成されている、
請求項１に記載の調湿ユニット。
【請求項９】
前記ケーシングに収納され、吸着前空気を前記吸着ロータに導き、且つ前記吸着後空気を前記吸着用ファン吹出口から吹き出す吸着用ファン（３４）をさらに備え、
前記ケーシングは、前記吸着用ファンが前記吸着ロータの下方に配置される場合における、前記吸着用ファン吹出口の形成されている下側面を前記側面に含む、
請求項８に記載の調湿ユニット。
【請求項１０】
前記吸着ロータを貫通する前の再生前空気を加熱するために冷媒の流れる配管接続部を有する再生用熱交換器（３１）をさらに備え、
前記ケーシングは、前記側面が、設置された状態で上下又は左右に広がるとともに前記配管接続部が突出している第４側面を含み、前記少なくとも一つの開口部が前記第４側面に形成されている第４開口部を含む、
請求項１から９のいずれか一項に記載の調湿ユニット。
【発明の詳細な説明】
【技術分野】
【０００１】
本発明は、調湿ユニット、特に、鉛直方向に沿う壁面にケーシングの背面を対向させて設置される調湿ユニットに関する。
【背景技術】
【０００２】
従来より、室内の空気調和を行う空気調和機とは別体に構成され、空気調和機の室内機に加湿用空気を供給する加湿ユニットがある。このような加湿ユニットの中には、例えば特許文献１（特開２０１４−１２９９５０号公報）に記載されているように、室内機が取り付けられている壁に取り付けられるものもある。
【発明の概要】
【発明が解決しようとする課題】
【０００３】
しかしながら、特許文献１に記載されている加湿ユニットは、加湿用空気を室内に送るためのダクトを背面に有している。そのため、ダクトを挿入するための壁の貫通穴が障害物の近くに開けられていたり、家屋の角部に開けられていたりする場合には、障害物に加湿ユニットが当たるためにその貫通穴を使って加湿ユニットを設置できなかったり、加湿ユニットが壁から家屋の外にはみ出すことでユーザが設置を嫌がったりする不具合が発生することがある。
【０００４】
本発明の課題は、壁に背面を対向させて設置される調湿ユニットについて、調湿ユニットの設置の自由度を向上させて調湿ユニットを設置できないケースを減らすことである。
【課題を解決するための手段】
【０００５】
本発明の第１観点に係る調湿ユニットは、鉛直方向に沿う壁に背面を対向させて設置され、背面に対向する正面及び正面と背面との間にある側面を有するケーシングと、ケーシングに収納され、回転して水分の吸着と脱離とを繰り返す吸着ロータと、ケーシングの配置されている第１空間から壁で隔絶された第２空間に対して、吸着ロータから水分を与えられた再生後空気を送る送出部材とを備え、ケーシングは、送出部材をケーシングの内側から外側に出して配置することのできる少なくとも一つの開口部が側面に形成されている。
【０００６】
本発明の第１観点に係る調湿ユニットにおいては、送出部材をケーシングの内側から外側に出して配置することのできる少なくとも一つの開口部がケーシングの側面に形成されていることから、開口部から取り出した送出部材をケーシングの外側で自由に敷設することができる。
【０００７】
本発明の第２観点に係る調湿ユニットは、鉛直方向に沿う壁に背面を対向させて設置され、背面に対向する正面及び正面と背面の間にある側面を有するケーシングと、ケーシングに収納され、回転して水分の吸着と脱離とを繰り返す吸着ロータと、ケーシングの配置されている第１空間から壁で隔絶された第２空間に対して、吸着ロータに水分を奪われた吸着後空気を送る送出部材とを備え、ケーシングは、送出部材をケーシングの内側から外側に出して配置することのできる少なくとも一つの開口部が側面に形成されている。
【０００８】
本発明の第２観点に係る調湿ユニットにおいては、送出部材をケーシングの内側から外側に出して配置することのできる少なくとも一つの開口部がケーシングの側面に形成されていることから、開口部から取り出した送出部材をケーシングの外側で自由に敷設することができる。
【０００９】
本発明の第３観点に係る調湿ユニットは、本発明の第１観点又は第２観点の調湿ユニットにおいて、少なくとも一つの開口部は、ケーシングの側面に形成されている第１開口部と第２開口部とを含む、ものである。
【００１０】
本発明の第３観点に係る調湿ユニットにおいては、少なくとも一つの開口部として第１開口部及び第２開口部が側面に形成されていることから、第１開口部と第２開口部のうちの使い易い方を選択できる。
【００１１】
本発明の第４観点に係る調湿ユニットは、第３観点の調湿ユニットにおいて、少なくとも一つの開口部は、ケーシングの側面に形成されている第３開口部をさらに含む、ものである。
【００１２】
本発明の第４観点に係る調湿ユニットにおいては、少なくとも一つの開口部として第３開口部が側面に形成されていることから、第１開口部と第２開口部が使い難く、第３開口部が使い易い場合に第３開口部を選択できる。
【００１３】
本発明の第５観点に係る調湿ユニットは、第３観点の調湿ユニットにおいて、ケーシングは、互いに異なる第１側面と第２側面とを含み、第１開口部が第１側面に形成され、第２開口部が第２側面に形成されている、ものである。
【００１４】
本発明の第５観点に係る調湿ユニットにおいては、少なくとも一つの開口部として第１開口部及び第２開口部が互いに異なる第１側面と第２側面に形成されていることから、壁に貫通孔が形成された場合に、貫通孔に対して第１側面を向ける対応と、貫通孔に対して第２側面を向ける対応を選択できる。
【００１５】
本発明の第６観点に係る調湿ユニットは、第５観点の調湿ユニットにおいて、ケーシングは、第１側面と第２側面が互いに対向する、ものである。
【００１６】
本発明の第６観点に係る調湿ユニットにおいては、少なくとも一つの開口部として第１開口部及び第２開口部が互いに対向する第１側面と第２側面に形成されていることから、壁に貫通孔が形成された場合に、貫通孔に対して第１側面を向ける対応と、第１側面の反対側の第２側面を貫通孔に対して向ける対応とを選択できるため、第１側面と第２側面に交差する方向に移動させて設置場所の選択ができる。
【００１７】
本発明の第７観点に係る調湿ユニットは、本発明の第５観点又は第６観点の調湿ユニットにおいて、ケーシングは、側面が第１側面と第２側面との間に配置されている第３側面をさらに含み、少なくとも一つの開口部が第３側面に形成されている第３開口部をさらに含む、ものである。
【００１８】
本発明の第７観点に係る調湿ユニットにおいては、送出部材をケーシングの内部から外部に取り出す開口部として、第１開口部と第２開口部以外に、第１側面と第２側面との間にある第３側面に第３開口部が形成されていることから、第１側面と第２側面に交差する方向に調湿ユニットをずらしても送出部材を貫通穴まで敷設するのが難しい場合に第１側面や第２側面に沿う方向にずらして第３開口部によって敷設する可能性が与えられている。
【００１９】
本発明の第８観点に係る調湿ユニットは、第１観点の調湿ユニットにおいて、ケーシングは、吸着ロータに水分を奪われた吸着後空気を吹き出す吸着用ファン吹出口が側面に形成されている、ものである。
【００２０】
本発明の第８観点に係る調湿ユニットにおいては、少なくとも一つの開口部が形成されている側面に吸着用ファン吹出口が形成されていることで、吸着用ファン吹出口の周囲に吹出すための吹出空間と開口部からケーシングの外側に出る送出部材の敷設領域とを兼用できる。また、側面にある吸着用ファン吹出口の吹出方向をユーザの動線から外すことで調湿ユニットから吹出される空気をユーザに当たり難くすることができる。
【００２１】
本発明の第９観点に係る調湿ユニットは、第８観点の調湿ユニットにおいて、ケーシングに収納され、吸着前空気を吸着ロータに導き、且つ吸着後空気を吸着用ファン吹出口から吹き出す吸着用ファンをさらに備え、ケーシングは、吸着用ファンが吸着ロータの下方に配置される場合における、吸着用ファン吹出口の形成されている下側面を側面に含む、ものである。
【００２２】
本発明の第９観点に係る調湿ユニットにおいては、吸着ロータの下方に吸着用ファンがある場合に、下側面に吸着用ファン吹出口が形成されることから、吸着前空気を下側面よりも上から取り入れるように構成され、吸着ロータに供給される吸着前空気に吸着後空気が混ざるショートサーキットが防止される。
【００２３】
本発明の第１０観点に係る調湿ユニットは、第１観点から第９観点のいずれかの調湿ユニットにおいて、吸着ロータを貫通する前の再生前空気を加熱するために冷媒の流れる配管接続部を有する再生用熱交換器をさらに備え、ケーシングは、側面が、設置された状態で上下又は左右に広がるとともに配管接続部が突出している第４側面を含み、少なくとも一つの開口部が第４側面に形成されている第４開口部を含む、ものである。
【００２４】
本発明の第１０観点に係る調湿ユニットにおいては、第４開口部が形成されている第４側面に配管接続部が突出していることから、突出した配管接続部を配置するための配置空間と開口部からケーシングの外側に出る送出部材の敷設領域とを兼用できる。
【発明の効果】
【００２５】
本発明の第１観点または第２観点に係る調湿ユニットでは、調湿ユニットの設置の自由度を向上させて調湿ユニットを設置できないケースを減らすことができる。
【００２６】
本発明の第３観点に係る調湿ユニットでは、開口部が一つだけの場合に比べて調湿ユニットの設置の自由度を向上させることができる。
【００２７】
本発明の第４観点に係る調湿ユニットでは、開口部が第１開口部と第２開口部だけの場合に比べて調湿ユニットの設置の自由度をさらに向上させることができる。
【００２８】
本発明の第５観点に係る調湿ユニットでは、第１開口部及び第２開口部を同一の側面に設ける場合に比べて調湿ユニットの設置の自由度を向上させることができる。
【００２９】
本発明の第６観点に係る調湿ユニットでは、互いに異なる第１側面と第２側面に設ける場合において互いに隣接する側面に設ける場合に比べて調湿ユニットを設置し易くなる。
【００３０】
本発明の第７観点に係る調湿ユニットでは、第３側面の第３開口部を使う選択肢が与えられることによって調湿ユニットの設置の自由度が向上する。
【００３１】
本発明の第８観点または第１０観点に係る調湿ユニットでは、送出部材の敷設領域を確保しやすくなり、壁に対向する調湿ユニットの設置が容易になる。
【００３２】
本発明の第９観点に係る調湿ユニットでは、コンパクト化における調湿性能の低下を抑制することができる。
【図面の簡単な説明】
【００３３】
【図１】第１実施形態に係る加湿ユニットを含む空気調和装置の回路図。
【図２】図１に記載の加湿ユニットの概念図。
【図３】第１実施形態に係る加湿ユニットの正面図。
【図４】図３のＩ−Ｉ線に沿った加湿ユニットの断面図。
【図５】壁に取り付けられている図１に記載の加湿ユニットを含む空気調和装置の模式図。
【図６】第１実施形態に係る加湿ユニットの斜視図。
【図７】図６の加湿ユニットの部分拡大斜視図。
【図８】グリッドを取り除いた第１実施形態に係る加湿ユニットの正面図。
【図９】位置関係を説明するための吸着ロータと吸着用ファンロータと再生用ファンロータの概念図。
【図１０】変形例１Ａに係る加湿ユニットの断面図。
【図１１】変形例１Ａに係る加湿ユニットの正面図。
【図１２】変形例１Ｃに係る加湿ユニットの右側面図。
【図１３】図１２の加湿ユニットの左側面図。
【図１４】変形例１Ｃに係る加湿ユニットの下側面図。
【図１５】（ａ）加湿ホースの配管の一例を示す概念図、（ｂ）加湿ホースの配管の他の例を示す概念図、（ｃ）加湿ホースの配管のさらに他の例を示す概念図。
【図１６】第２実施形態に係る加湿ユニットの正面図。
【図１７】図１６のＩＩ−ＩＩ線に沿って切断して右から見た加湿ユニットの断面図。
【図１８】図１６のＩＩ−ＩＩ線に沿って切断して左から見た加湿ユニットの断面図。
【図１９】位置関係を説明するための吸着ロータと吸着用ファンロータと再生用ファンロータの概念図。
【図２０】変形例２Ａに係る加湿ユニットの断面図。
【図２１】第３実施形態に係る除湿ユニットを含む空気調和装置の回路図。
【図２２】図２１に記載の除湿ユニットの概念図。
【図２３】壁に取り付けられている図２１に記載の除湿ユニットを含む空気調和装置の模式図。
【図２４】変形例３Ａに係る除湿ユニットを含む空気調和装置の回路図。
【図２５】第４実施形態に係る加湿ユニットを含む空気調和装置の回路図。
【図２６】図２５に記載の加湿ユニットの概念図。
【図２７】壁に取り付けられている図２５に記載の加湿ユニットを含む空気調和装置の模式図。
【図２８】変形例４Ａに係る調湿ユニットの構成を説明するための図。
【図２９】第５実施形態に係る除湿ユニットを含む空気調和装置の回路図。
【図３０】図２９に記載の除湿ユニットの概念図。
【図３１】壁に取り付けられている図２８に記載の除湿ユニットを含む空気調和装置の模式図。
【図３２】変形例５Ａに係る調湿ユニットの構成を説明するための図。
【発明を実施するための形態】
【００３４】
＜第１実施形態＞
以下、本発明の第１実施形態に係る調湿ユニットについて図に基づいて説明する。第１実施形態では、空気調和装置に組み込まれた加湿ユニットを調湿ユニットの例に挙げて説明している。
【００３５】
（１）全体構成
図１には、実施形態に係る空気調和装置の全体構成が示されている。また、図２には、図１に示されている加湿ユニット３０の構成の概念が示されている。図１に示されている空気調和装置１は、室外機２と室内機４と冷媒連絡管５，６とを備え、空気調和装置１には加湿ユニット３０が取り付けられている。第１実施形態に係る空気調和装置１では、室外機２が室外ＯＤに設置され、室内機４が室内ＩＤに取り付けられ（図５参照）、室外機２と室内機４が冷媒連絡管５，６などで連絡されている。室外機２は、圧縮機２１と、四方弁２２と、室外熱交換器２３と、電動弁２４と、閉鎖弁２５と、閉鎖弁２６と室外ファン２７と、アキュムレータ２８とを備えている。また、室内機４は、室内熱交換器４２と室内ファン４１とを備えている。
【００３６】
室外機２と室内機４が冷媒連絡管５，６で接続されることにより、空気調和装置１の中には、蒸気圧縮式冷凍サイクルを行う冷媒回路１０が形成されている。冷媒回路１０には、圧縮機２１が組み込まれている。圧縮機２１は、低圧のガス冷媒を吸入し、圧縮して高温高圧のガス冷媒とした後に吐出する。圧縮機２１は、例えば、インバータによる回転数制御を行うことのできる容量可変のインバータ圧縮機である。圧縮機２１の運転周波数が高くなるほど冷媒回路１０の冷媒循環量が多くなり、逆に運転周波数が低くなると冷媒回路１０の冷媒循環量が減少する。
【００３７】
四方弁２２は、冷房運転と暖房運転の切換時に、冷媒の流れの方向を切り換えるための弁である。四方弁２２は、第１ポートに圧縮機２１の吐出側（吐出管２１ａ）が接続され、第２ポートに室外熱交換器２３が接続され、第３ポートにアキュムレータ２８が接続され、第４ポートに閉鎖弁２６を介して冷媒連絡管６が接続されている。この四方弁２２は、第１ポートと第２ポートの間を冷媒が流れるとともに第３ポートと第４ポートの間を冷媒が流れる破線で示された状態と、第１ポートと第４ポートの間を冷媒が流れるとともに第２ポートと第３ポートの間を冷媒が流れる実線で示された状態とを切り換えることができる。
【００３８】
加湿ユニット３０の詳細な構成については後述するが、加湿ユニット３０は、再生用熱交換器３１を備えており、この再生用熱交換器３１が冷媒連絡管６に挿入されている。従って、暖房運転状態のときには、圧縮機２１から吐出される高温高圧のガス冷媒は、高温高圧のまま再生用熱交換器３１に送られる。再生用熱交換器３１により吸着ロータ３２に送り込む再生前空気を加熱することによって湿度の高い再生後空気を生成することができるので、この加湿ユニット３０は、主に、暖房運転状態のときに室内ＩＤを加湿することになる。
【００３９】
四方弁２２の第２ポートと電動弁２４との間に配置されている室外熱交換器２３では、伝熱管（図示せず）を流れる冷媒と室外空気との間で熱交換が行われる。室外熱交換器２３は、冷房運転時には冷媒から熱を放出させる放熱器として機能し、暖房運転時には冷媒に熱を与える蒸発器として機能する。
【００４０】
電動弁２４は、室外熱交換器２３と室内熱交換器４２との間に配置されている。電動弁２４は、室外熱交換器２３と室内熱交換器４２の間を流れる冷媒を膨張させて減圧する機能を有している。電動弁２４は、膨張弁開度を変更することができるように構成されており、膨張弁開度を小さくすることにより電動弁２４を通過する冷媒の流路抵抗が増加し、膨張弁開度を大きくすることにより電動弁２４を通過する冷媒の流路抵抗が減少する。このような電動弁２４は、暖房運転では、室内熱交換器４２から室外熱交換器２３に向かって流れる冷媒を膨張させて減圧し、冷房運転では、室外熱交換器２３から室内熱交換器４２に向かって流れる冷媒を膨張させて減圧する。
【００４１】
また、室外機２には、室外機２の内部に室外空気を吸入して、室外熱交換器２３に室外空気を供給した後に、室外機２の外部に熱交換後の空気を排出するための室外ファン２７が設けられている。この室外ファン２７により、室外空気を冷却源又は加熱源として冷媒を冷却したり蒸発させたりする室外熱交換器２３の機能が促進される。室外ファン２７は、回転数を変更できる室外ファンモータ２７ａによって駆動される。この室外ファン２７の回転数が変更されることにより、室外熱交換器２３を通過する室外空気の風量が変更される。
【００４２】
また、室内機４には、室内機４の内部に室内空気を吸入して、室内熱交換器４２に室内空気を供給した後に、室内機４の外部に熱交換後の空気を排出するための室内ファン４１が設けられている。この室内ファン４１により、室内空気を冷却源又は加熱源として冷媒を冷却したり蒸発させたりする室内熱交換器４２の機能が促進される。室内ファン４１は、回転数を変更できる室内ファンモータ４１ａによって駆動される。この室内ファン４１の回転数が変更されることにより、室内熱交換器４２を通過する室内空気の風量が変更される。
【００４３】
なお、加湿ユニット３０の設置時には、閉鎖弁２５，２６が閉じられた状態で行われる。そして、加湿ユニット３０の設置が終わったときに、閉鎖弁２５，２６が開状態にされる。
【００４４】
（２）基本動作
加湿ユニット３０により室内ＩＤが加湿されるのは、主に、室内ＩＤが乾燥するときであり、加湿ユニット３０により室内ＩＤが加湿される時期に特に制限はない。例えば、日本では、冬場に室内が乾燥することが多いので、暖房運転時に加湿ユニット３０により加湿されることが多い。
【００４５】
（２−１）暖房運転
暖房運転時においては、冷媒回路１０は、四方弁２２が図１の実線で示される状態となっている。また、閉鎖弁２５，２６は開状態にされ、電動弁２４は冷媒を減圧するように開度調節される。
【００４６】
このような暖房運転時の冷媒回路１０において圧縮機２１が駆動されると、低圧のガス冷媒は、吸入管２１ｂを通って圧縮機２１に吸入され、圧縮機２１において圧縮されて圧縮機２１の吐出側（吐出管２１ａ）から吐出される。圧縮機２１から吐出された高温高圧のガス冷媒は、四方弁２２の第１ポートと第４ポートと閉鎖弁２６と冷媒連絡管６を通って再生用熱交換器３１に送られる。再生用熱交換器３１で熱交換された冷媒は、冷媒連絡管６及び接続管７１を通って室内熱交換器４２に入る。高温高圧のガス冷媒は、室内熱交換器４２において室内ファン４１から吹き出される室内空気との熱交換により放熱する。放熱後の高圧の冷媒は、接続管７２、冷媒連絡管５及び閉鎖弁２５を通って電動弁２４に送られて、電動弁２４において減圧されて低圧の気液二相状態の冷媒となる。電動弁２４を出た低圧の気液二相状態の冷媒は室外熱交換器２３に入る。室外熱交換器２３において、低圧の気液二相状態の冷媒は、室外空気との熱交換により蒸発する。室外熱交換器２３から出た低圧のガス冷媒は、四方弁２２の第２ポートと第３ポートとアキュムレータ２８を通って圧縮機２１の吸入側（吸入管２１ｂ）に再び送られる。
【００４７】
（２−２）冷房運転
冷房運転時においては、冷媒回路１０は、四方弁２２が図１の破線で示される状態となっている。また、閉鎖弁２５，２６は開状態にされ、電動弁２４は冷媒を減圧するように開度調節される。
【００４８】
このような冷房運転時の冷媒回路１０において圧縮機２１が駆動されると、低圧のガス冷媒は、吸入管２１ｂを通って圧縮機２１に吸入され、圧縮機２１において圧縮されて圧縮機２１の吐出側（吐出管２１ａ）から吐出される。圧縮機２１から吐出された高温高圧のガス冷媒は、四方弁２２の第１ポートと第２ポートを通って室外熱交換器２３に送られる。高温高圧のガス冷媒は、室外熱交換器２３において室外空気との熱交換により放熱する。放熱後の高圧の冷媒は、電動弁２４に送られて、電動弁２４において減圧されて低圧の気液二相状態の冷媒となる。この低圧の気液二相状態の冷媒は、閉鎖弁２５、冷媒連絡管５及び接続管７２を通って室内熱交換器４２に送られる。室内熱交換器４２において、低圧の気液二相状態の冷媒は、室内ファン４１から吹き出される室内空気との熱交換により蒸発して低圧のガス冷媒となる。室内熱交換器４２から出た低圧のガス冷媒は、接続管７１、再生用熱交換器３１が挿入された冷媒連絡管６、閉鎖弁２６、四方弁２２（第４ポートから第３ポート）、及びアキュムレータ２８を通って圧縮機２１の吸入側（吸入管２１ｂ）に再び送られる。
【００４９】
（３）詳細構成
（３−１）加湿ユニット３０
図３には、加湿ユニット３０の正面から見た外観が示されている。図３に示されているＺ軸方向が鉛直方向であり、Ｘ軸方向が左右方向である。図３に示されている加湿ユニット３０は、壁面ＷＳに取り付けられている。壁面ＷＳは、ＸＺ平面に対して平行に広がっている。
【００５０】
図１に示されているように、加湿ユニット３０は、再生用熱交換器３１と吸着ロータ３２とロータ用モータ３３と吸着用ファン３４と再生用ファン３５と加湿ホース３６とを備えている。再生用熱交換器３１と吸着ロータ３２とロータ用モータ３３と吸着用ファン３４と再生用ファン３５は、図３に示されているケーシング５０の内部に収納されている。この加湿ホース３６は、吸着ロータ３２から水分を与えられた再生後空気を、加湿ユニット３０（室外ＯＤ）から室内機４（室内ＩＤ）に送る送出部材である。加湿ホース３６は、加湿ユニット３０の取り付け時に加湿ホース３６を自在に曲げられるので、可撓性のある部材で構成されるのが好ましい。
【００５１】
加湿ユニット３０においては、図２に示されているように、吸着前空気が吸着前空気取入口５２から取り入れられて吸着ロータ３２のうちの吸着領域に送られる。吸着ロータ３２のうちの吸着領域で水分を奪われた吸着後空気は、吸着用ファン吹出口５６から吹出される。これら吸着前空気及び吸着後空気の気流は吸着用ファン３４により発生する。また、再生前空気は、再生前空気取入口５４から取り入れられ、再生用熱交換器３１を通過するときに加熱されて吸着ロータ３２のうちの再生領域に送られる。吸着ロータ３２のうちの再生領域で水分を与えられた再生後空気は、再生後空気用ダクト３５ｅ及び加湿ホース３６を通って室内機４の内部に吹出される。これら再生前空気及び再生後空気の気流は再生用ファン３５により発生する。
【００５２】
（３−１−１）ケーシング５０
図４には、図３のＩ−Ｉ線に沿った加湿ユニット３０の断面が示されている。図４において、Ｙ軸方向が前後方向である。なお、図４などの断面図において、図を見やすくするために一部斜線などのハッチングを省略している。図３及び図４に示されているように、加湿ユニット３０のケーシング５０の形状は、直方体を基礎として設計されている。そのため、ケーシング５０は、正面５０ａ、背面５０ｂ、上側面５０ｃ、下側面５０ｄ、右側面５０ｅ、左側面５０ｆが外観の大部分を占める。正面５０ａは背面５０ｂに対向する面である。上側面５０ｃ、下側面５０ｄ、右側面５０ｅ及び左側面５０ｆは、正面５０ａと背面５０ｂとの間にある側面である。なお、右側面５０ｅと背面５０ｂの間には、斜めに傾斜した右傾斜面５０ｇがあり、左側面５０ｆと背面５０ｂの間には、斜めに傾斜した左傾斜面５０ｈがある（図６参照）。
【００５３】
図５に示されている加湿ユニット３０は、鉛直方向に沿う壁面ＷＳに背面５０ｂが接触するように取り付けられている。しかし、ケーシング５０は、壁面ＷＳに接触するように取り付けられなくてもよく、ケーシング５０の背面５０ｂが壁面ＷＳに対向するように取り付けられていればよい。例えば、壁面ＷＳに平行に配置された枠体にケーシング５０が取り付けられてもよい。図５に示されている壁１００には、貫通孔１０１が形成されている。この貫通孔１０１の中を、冷媒連絡管５,６及び加湿ホース３６が通っている。
【００５４】
ケーシング５０は、図４に示されている、背面５０ｂに対する垂直方向（Ｙ軸方向）の寸法Ｍ１（正面５０ａと背面５０ｂの間の距離）が、背面５０ｂに平行な方向（ＸＺ平面に平行な方向）の寸法よりも小さい。背面５０ｂに平行な方向で最も小さいのは、右側面５０ｅと左側面５０ｆの間の距離（Ｘ軸方向の寸法Ｍ２（図３参照））である。図３と図４とを比較して分かるように、正面５０ａと背面５０ｂの間の距離は、右側面５０ｅと左側面５０ｆの間の距離より小さい。つまり、ケーシング５０は、薄型化されている。
【００５５】
図３及び図４に示されているケーシング５０では、ケーシング５０の最も長い辺がＺ軸方向に沿うように配置されて、上から順に（上側面５０ｃに近い方から順に）、再生用ファン３５、吸着ロータ３２、吸着用ファン３４が並んでいる。
【００５６】
ケーシング５０の正面５０ａには、図３に示されているように、グリッド５１が取り付けられている。図６には、加湿ユニット３０の正面５０ａからグリッド５１が取り外された外観が示されている。図６に示されているケーシング５０は、左斜め下方から見たものである。ケーシング５０の正面５０ａには、正面５０ａの中央部より少し下の箇所に半円形状の吸着前空気取入口５２が形成されている。吸着前空気取入口５２の長手方向は、Ｘ軸方向に平行である。吸着前空気取入口５２からは、露出した吸着ロータ３２が見えている。
【００５７】
ケーシング５０の左側面５０ｆには、配管接続部カバー５３が取り付けられている。図７には、配管接続部カバー５３が取り外された状態の加湿ユニット３０の外観の一部が拡大されて示されている。配管接続部カバー５３は、配管接続部３１ａ，３１ｂを覆っている。配管接続部３１ａは、閉鎖弁２６に繋がっている冷媒連絡管６に接続される。配管接続部３１ｂは、室内機４の室内熱交換器４２に繋がっている冷媒連絡管６に接続される。ケーシング５０の左側面５０ｆには、再生前空気取入口５４及び、加湿ホース３６をケーシング５０の内部から外部に取り出すための開口部５５が形成されている。再生前空気取入口５４は、図示を省略しているが、右側面５０ｅにも形成されている。ケーシング５０の下側面５０ｄには、吸着用ファン吹出口５６が形成されている。
【００５８】
（３−１−２）吸着ロータユニット３９
吸着ロータユニット３９は、再生用熱交換器３１と吸着ロータ３２とロータ用モータ３３とを含んで構成されている。吸着ロータ３２は、円盤状の部材である。吸着ロータ３２の円形の表面３２ａから円形の裏面３２ｂまでのロータ本体３２ｃには貫通した穴（図示せず）が多数形成さており、表面３２ａから裏面３２ｂまで吸着ロータ３２の中を空気が通り抜けるように構成されている。この吸着ロータ３２には、高分子の吸着材が含まれている。吸着材は、吸着ロータ３２を通り抜ける空気から水分を吸着する機能を有しており、常温よりも高い温度に加熱された空気が吸着ロータ３２の中を通過すると水分をその加熱された空気中に脱離する機能を有している。吸着ロータ３２が配置されている円盤状の領域において、吸着前空気取入口５２から取り入れられた空気が吸着用ファン吹出口５６から吹出されるまでに通過するのが吸着領域であり、再生前空気取入口５４から取り入れられた空気が加湿ホース３６を通って室内機４に送られるまでに通過するのが再生領域である。これら吸着領域と再生領域は重ならないように配置されている。第１実施形態の加湿ユニット３０では、吸着領域は概ね円盤状の領域の下半分を占め、再生領域は概ね円盤状の領域の上半分を占める。なお、吸着領域と再生領域の占有割合は適宜設計することができ、例えば、再生領域を扇形にして残りを吸着領域とするように構成してもよい。
【００５９】
吸着ロータユニット３９は、吸着ロータ３２が第１回転軸３２ｄの周りで回転するように吸着ロータ３２を支持している。第１回転軸３２ｄは、背面５０ｂに対する垂直方向（Ｙ軸方向）に延びている。吸着ロータ３２は、例えば１時間に３０回転する。吸着ロータ３２は、第１回転軸３２ｄの周りを１回転すると、吸着領域と再生領域を通過して、水分の吸着と水分の脱離を行う。そのために、再生用熱交換器３１を通過して加熱された再生前空気が全て吸着ロータ３２を通過できるように、吸着ロータユニット３９は、再生用熱交換器３１を保持するとともに再生用熱交換器３１を通過してさらに再生領域を通過する空気の経路を形成している。
【００６０】
（３−１−３）吸着用ファン３４
ここでは、吸着用ファン３４にシロッコファンが用いられている例を示しているが、吸着用ファン３４に用いることができるファンはシロッコファンに限られるものではない。ただし、吸着用ファン３４には、占有体積と送風量の条件を満たし易い遠心ファンが用いられることが好ましい。吸着用ファン３４は、第２回転軸３４ｂの周りで回転する吸着用ファンロータ３４ａと、吸着用モータ３４ｃと、吸着用ファンケース３４ｄと、吸着後空気用ダクト３４ｅとを備えている。第２回転軸３４ｂは、背面５０ｂに対する垂直方向に延びている。吸着用モータ３４ｃは、吸着用ファンロータ３４ａを回転させる。吸着用ファン３４は、吸着用ファンロータ３４ａによって、吸着前空気を吸着前空気取入口５２から吸着ロータ３２に導く。そして、吸着前空気が、吸着用ファンロータ３４ａにより送られて吸着領域において吸着ロータ３２を通過し、吸着ロータ３２を通過することで吸着ロータ３２に水分を奪われて吸着後空気になる。このとき吸着ロータ３２を通過する空気は、吸着ロータ３２の第１回転軸３２ｄと平行に吸着ロータ３２を通過する。このように第１回転軸３２ｄと平行に吸着ロータ３２を空気が通過すると、第１回転軸３２ｄに対して傾いて例えば３０度よりも傾いて空気が通過する場合に比べて吸着ロータ３２を通過する空気の受ける抵抗が小さくなる。
【００６１】
吸着ロータ３２の裏面３２ｂの側には、吸着後空気用ダクト３４ｅが配置されている。吸着後空気用ダクト３４ｅは、正面視において、吸着ロータ３２と吸着領域とが重なる部分よりも大きく、また吸着用ファン３４のベルマウス３４ｇの吸込円孔３４ｆよりも大きい。そして、吸着後空気用ダクト３４ｅは、正面視において、吸着ロータ３２と吸着領域とが重なる部分及びベルマウス３４ｇの吸込円孔３４ｆを覆うように配置されている。吸着後空気用ダクト３４ｅから吸着用ファン３４のベルマウス３４ｇの吸込円孔３４ｆを通って吸着用ファン３４に吸い込まれた吸着後空気は、吸着用ファン吹出口５６から吹出される。
【００６２】
（３−１−４）再生用ファン３５
ここでは、再生用ファン３５にターボファンが用いられている例を示しているが、再生用ファン３５に用いることができるファンはターボファンに限られるものではない。ただし、再生用ファン３５には、占有体積と送風量の条件を満たし易い遠心ファンが用いられることが好ましい。再生用ファン３５は、第３回転軸３５ｂの周りで回転する再生用ファンロータ３５ａと、再生用モータ３５ｃと、再生用ファンケース３５ｄと、再生後空気用ダクト３５ｅとを備えている。第３回転軸３５ｂは、背面５０ｂに対する垂直方向に延びている。再生用モータ３５ｃは、再生用ファンロータ３５ａを回転させる。再生用ファン３５は、再生用ファンロータ３５ａによって、再生前空気を再生前空気取入口５４から吸着ロータ３２に導く。そして、再生前空気が、再生用ファンロータ３５ａにより送られて再生領域において吸着ロータ３２を通過し、吸着ロータ３２を通過することで吸着ロータ３２に水分を与えられて再生後空気になる。再生前空気は、吸着ロータ３２の裏面３２ｂに達する前に、再生用熱交換器３１によって加熱されている。このとき吸着ロータ３２を通過する空気は、吸着ロータ３２の第１回転軸３２ｄと平行に吸着ロータ３２を通過する。このように第１回転軸３２ｄと平行に吸着ロータ３２を空気が通過すると、第１回転軸３２ｄに対して傾いて例えば３０度よりも傾いて空気が通過する場合に比べて吸着ロータ３２を通過する空気の受ける抵抗が小さくなる。
【００６３】
吸着ロータ３２の表面３２ａの側には、再生後空気用ダクト３５ｅが配置されている。再生後空気用ダクト３５ｅは、正面視において、吸着ロータ３２と再生領域とが重なる部分よりも大きく、また再生用ファン３５の吸込口３５ｆよりも大きい。そして、再生後空気用ダクト３５ｅは、正面視において、吸着ロータ３２と再生領域とが重なる部分及び吸込口３５ｆを覆うように配置されている。再生後空気用ダクト３５ｅから再生用ファン３５の吸込口３５ｆを通って再生用ファン３５に吸い込まれた再生後空気は、加湿ホース３６を通って吹出される。
【００６４】
（３−１−５）吸着ロータ３２と吸着用ファン３４と再生用ファン３５の位置関係
吸着ロータ３２と吸着用ファン３４の吸着用ファンロータ３４ａと再生用ファン３５の再生用ファンロータ３５ａは、背面５０ｂに沿って一方向（Ｚ軸方向）に並べて配列されている。さらに詳細には、図８に示されているように、吸着ロータ３２の第１回転軸３２ｄと吸着用ファンロータ３４ａの第２回転軸３４ｂと再生用ファンロータ３５ａの第３回転軸３５ｂとが、Ｚ軸方向に延びる一つの直線Ｌ１と直交するように並んでいる。図８には、正面視における吸着ロータ３２と吸着用ファン３４と再生用ファン３５の配置が破線で示されている。吸着ロータ３２と吸着用ファンロータ３４ａと再生用ファンロータ３５ａの配列方向視、つまり直線Ｌ１に沿って下側面５０ｄから上側面５０ｃの方を見ると、図９に示されているように、吸着ロータ３２の一部と吸着用ファンロータ３４ａの一部が重なり、それらの重なった部分と再生用ファンロータ３５ａが重なっている。そのため、吸着ロータ３２と吸着用ファン３４と再生用ファン３５を背面５０ｂに平らに並べて配置することができ、加湿ユニット３０が薄型化できている。
【００６５】
また、第１回転軸３２ｄと第２回転軸３４ｂとの第３回転軸３５ｂとが、Ｚ軸方向に延びる一つの直線Ｌ１と直交するように並んでいることから、吸着用ファンロータ３４ａと再生用ファンロータ３５ａとが吸着ロータ３２からＸ軸方向にはみ出さないので、Ｘ軸方向のケーシング５０の寸法Ｍ２を小さくすることができる。
【００６６】
吸着ロータ３２において、吸着領域では、空気が吸着ロータ３２の表面３２ａから裏面３２ｂに向かって流れ、再生領域では、空気が吸着ロータ３２の裏面３２ｂから表面３２ａに向かって流れる。つまり、吸着用ファン３４と再生用ファン３５は、吸着前空気の気流と再生前空気の気流が対向流となるように配置されている。着前空気の気流と再生前空気の気流が対向流となることにより、同じ方向にこれらの気流が流れる場合に比べて加湿能力を向上させることができる。
【００６７】
（４）変形例
（４−１）変形例１Ａ
上記第１実施形態では、吸着用ファン３４と再生用ファン３５は、吸着前空気の気流と再生前空気の気流が対向流となるように配置されていたが、吸着用ファン３４と再生用ファン３５は、図１０及び図１１に示されているように、吸着前空気の気流と再生前空気の気流が同じ向きに流れるように配置されてもよい。図１１に示されている加湿ユニット３０Ａでは、正面５０ａに再生前空気取入口５７が形成されている。再生前空気取入口５７は、正面視において、再生用熱交換器３１と実質的に同じ大きさを有している長方形状に形成されている。再生前空気取入口５７にはグリッド５８が取り付けられている。なお、正面５０ａに再生前空気取入口５７を形成して場合でも、上記第１実施形態と同様に、右側面５０ｅ及び左側面５０ｆに再生前空気取入口を正面５０ａに近づけて設けてもよい。
【００６８】
（４−２）変形例１Ｂ
上記第１実施形態及び変形例１Ａでは、ケーシング５０，５０Ａの長手方向（寸法Ｍ４の辺が延びる方向）がＺ軸方向に一致するように加湿ユニット３０，３０Ａが取り付けられているが、背面５０ｂに平行な面内で回転させて、例えばケーシング５０，５０Ａの長手方向がＸ軸方向に延びるように加湿ユニット３０，３０Ａが取り付けられてもよい。
【００６９】
（４−３）変形例１Ｃ
上記第１実施形態または変形例１Ａのケーシング５０，５０Ａには、左側面５０ｆに開口部５５が形成されている場合について説明したが、図１２及び図１３に示されている加湿ユニット３０Ｂのケーシング５０Ｂのように、右側面５０ｅと左側面５０ｆの互いに対向する異なる側面に２つの開口部５５ａ，５５ｂを形成してもよい。通常は一方しか使用しないので、開口部５５ａ，５５ｂのうちの使用されない方は、例えば、金属、樹脂またはエラストマーからなるキャップで塞いでおけばよい。また、互いに対向する異なる側面としては、上側面５０ｃと下側面５０ｄの組み合わせもある。なお、右側面５０ｅの代わりに右側面５０ｅと右傾斜面５０ｇの両方に又は左側面５０ｆの代わりに左側面５０ｆと左傾斜面５０ｈの両方に開口部５５が掛かるように構成してもよい。
【００７０】
また、２つの開口部５５ａ，５５ｂを形成する互いに異なる側面は、例えば右側面５０ｅと上側面５０ｃ、右側面５０ｅと下側面５０ｄ、左側面５０ｆと上側面５０ｃ、左側面５０ｆと下側面５０ｄ、または上側面５０ｃと下側面５０ｄであってもよい。
【００７１】
（４−４）変形例１Ｄ
上記変形例１Ｃのケーシング５０Ｂでは、互いに異なる２つの側面に開口部５５ａ，５５ｂを形成する場合について説明したが、図１４に示されている加湿ユニット３０Ｃのように、右側面５０ｅと左側面５０ｆ以外に下側面５０ｄに開口部５５ｃをさらに設けて、右側面５０ｅと左側面５０ｆと下側面５０ｄの３つの側面に開口部５５ａ〜５５ｃを設ける構成としてもよい。このように、互いに対向する２つの側面と、それらの間に配置されている他の側面に開口部５５ａ〜５５ｃが形成される例としては、右側面５０ｅと左側面５０ｆと上側面５０ｃ、右側面５０ｅと上側面５０ｃと下側面５０ｄ、及び左側面５０ｆと上側面５０ｃと下側面５０ｄの組み合わせがある。なお、右側面５０ｅの代わりに右側面５０ｅと右傾斜面５０ｇの両方に又は左側面５０ｆの代わりに左側面５０ｆと左傾斜面５０ｈの両方に開口部５５が掛かるように構成してもよい。
【００７２】
（４−５）変形例１Ｅ
上記第１実施形態においては、図１５（ａ）に示されているように、再生用ファン３５から開口部５５を通ってケーシング５０の外まで配管する送出部材として１本の加湿ホースを用いる場合について説明している。しかしながら、送出部材は、１つの部材で構成されるものに限られるものではない。例えば、図１５（ｂ）に示されているように、ケーシング５０の内部に第１加湿ホース３６ａを配管し、ケーシング５０の外部に、第１加湿ホース３６ａに接続される第２加湿ホース３６ｂを配管するように構成してもよい。また、例えば、図１５（ｃ）に示されているように、ケーシング５０の内部の一部に第１加湿ホース３６ｃを配管し、ケーシング５０の内部の他の部分及び外部に、第１加湿ホース３６ｃに接続される第２加湿ホース３６ｄを配管するように構成してもよい。
【００７３】
また、第１加湿ホース３６ａ，３６ｃと第２加湿ホース３６ｂ，３６ｄは、同じ部材でなくてもよく、異なる部材が用いられてもよい。また、第１加湿ホース３６ａ，３６ｃと第２加湿ホース３６ｂ，３６ｄ以外のさらに他の部材を継ぎ足して送出部材を形成してもよい。
【００７４】
（５）特徴
（５−１）
第１実施形態の加湿ユニット３０及び変形例１Ａ〜１Ｅの加湿ユニット３０Ａ〜３０Ｃは、調湿ユニットの一例である。これら加湿ユニット３０，３０Ａ〜３０Ｃにおいては、ケーシング５０，５０Ａ〜５０Ｃは、鉛直方向に沿う壁１００に背面５０ｂを対向させて設置されている。そして、これらケーシング５０，５０Ａ〜５０Ｃは、背面５０ｂに対向する正面５０ａ及び正面５０ａと背面５０ｂとの間にある側面として、上側面５０ｃ、下側面５０ｄ、右側面５０ｅ、及び左側面５０ｆを有している。ケーシング５０，５０Ａ〜５０Ｃの配置されている第１空間である室外ＯＤから壁１００で隔絶された第２空間である室内ＩＤに対して、吸着ロータ３２から水分を与えられた再生後空気を送る送出部材として、加湿ホース３６，３６ａ〜３６ｄを備えている。加湿ホース３６，３６ａ〜３６ｄをケーシング５０，５０Ａ〜５０Ｃの内側から外側に出して配置することのできる少なくとも一つの開口部５５，５５ａ〜５５ｃがケーシング５０，５０Ａ〜５０Ｃの上側面５０ｃ、下側面５０ｄ、右側面５０ｅ、及び左側面５０ｆの少なくとも一つに形成されていることから、開口部５５，５５ａ〜５５ｃから取り出した加湿ホース３６，３６ａ〜３６ｄをケーシング５０，５０Ａ〜５０Ｃの外側で自由に敷設することができる。その結果、加湿ユニット３０，３０Ａ〜３０Ｃの設置の自由度を向上させて加湿ユニット３０，３０Ａ〜３０Ｃを設置できないケースを減らすことができる。
【００７５】
（５−２）
変形例１Ｃで説明したように、加湿ユニット３０Ｂは、少なくとも一つの開口部として、例えばケーシング５０Ｂの右側面５０ｅに形成されている第１開口部である開口部５５ａと左側面５０ｆに形成されている第２開口部である開口部５５ｂとを含んでいる。このように２つの開口部５５ａ，５５ｂが側面に形成されていることから、２つの開口部５５ａ，５５ｂのうちの使い易い方を選択できる。そのため、加湿ユニット３０Ｂは、開口部５５が一つだけの加湿ユニット３０に比べて設置の自由度を向上させることができる。
【００７６】
（５−３）
変形例１Ｄで説明したように、加湿ユニット３０Ｃは、少なくとも一つの開口部として、変形例１Ｃの加湿ユニット３０Ｂと比べて、さらに第３開口部である開口部５５ｃが例えば下側面３０ｄに形成されている。そのため、例えば壁１００の幅が狭くてケーシング５０Ｃの下にしか貫通孔１０１を開けられない場合でも、下側面３０ｄの開口部５５ｃを加湿ホース３６の配管のために選択することで加湿ユニット３０Ｃの設置ができる。このように、３つ目の第３開口部である開口部５５ｃが形成されていることによって、第１開口部及び第２開口部である開口部５５ａ，５５ｂだけの場合に比べて、加湿ユニット３０Ｃの設置の自由度がさらに向上している。
【００７７】
（５−４）
変形例１Ｃで説明した場合において、ケーシング５０Ｂは、例えば、互いに異なる第１側面である右側面５０ｅと第２側面であるに左側面５０ｆに、第１開口部として開口部５５ａが形成され、第２開口部として開口部５５ｂが形成されている。このような構成により、壁１００に貫通孔１０１が形成された場合に、貫通孔１０１に対して右側面５０ｅを向ける対応と、貫通孔１０１に対して左側面５０ｆを向ける対応を選択できる。その結果、例えば開口部５５ａ，５５ｂを同一の側面に設ける場合に比べて加湿ユニット３０Ｂの設置の自由度が向上している。なお、変形例１Ｃで説明したように、互いに異なる第１側面と第２側面の組み合わせは、右側面５０ｅと左側面５０ｆに限られず、例えば、左側面５０ｆと下側面５０ｄの組み合わせなど他の組み合わせでもかまわない。
【００７８】
（５−５）
変形例１Ｃで説明した場合において、例えば、第１側面である右側面５０ｅと第２側面であるに左側面５０ｆが互いに対向するときには、壁１００に貫通孔１０１が形成された場合に、貫通孔１０１に対して右側面５０ｅを向ける対応と、右側面５０ｅの反対側の左側面５０ｆを貫通孔１０１に対して向ける対応とを選択できるため、右側面５０ｅと左側面５０ｆに交差する方向（Ｘ軸方向）に移動させて設置場所の選択ができる。その結果、互いに異なる第１側面と第２側面に設ける場合において、例えば互いに隣接する側面である右側面５０ｅと上側面５０ｃに設ける場合に比べて加湿ユニット３０Ｂの設置がし易いものとなっている。なお、例えば上側面５０ｃに第１開口部を形成し、下側面５０ｄに第２開口部を形成するときには、上側面５０ｃと下側面５０ｄに交差する方向（Ｚ軸方向）に移動させて設置場所の選択ができる。
【００７９】
（５−６）
変形例１Ｃで説明した場合において、例えば、第１側面、第２側面及び第３側面として右側面５０ｅ、左側面５０ｆ及び下側面５０ｄに第１開口部、第２開口部及び第３開口部として開口部５５ａ，５５ｂ，５５ｃが形成されているときには、右側面５０ｅと左側面５０ｆに交差する方向（Ｘ軸方向）に加湿ユニット３０Ｃをずらしても加湿ホース３６を貫通孔１０１まで敷設するのが難しい場合に右側面５０ｅや左側面５０ｆに沿う方向（Ｚ軸方向）にずらして開口部５５ｃによって敷設する可能性が与えられている。このように、下側面５０ｄの開口部５５ｃを使う選択肢が与えられることによって加湿ユニット３０Ｃの設置の自由度が向上している。
【００８０】
（５−７）
変形例１Ｄで説明した場合において、開口部５５ｃが形成されている下側面５０ｄに吸着用ファン吹出口５６が形成されていることで、吸着用ファン吹出口５６の周囲に吹出すための吹出空間と開口部５５ｃからケーシング５０Ｃの外側に出る加湿ホース３６の敷設領域とを兼用できる。また、下側面５０ｄにある吸着用ファン吹出口５６ｂの吹出方向をユーザの動線から外すことで加湿ユニット３０Ｃから吹出される空気をユーザに当たり難くすることができる。なお、少なくとも一つの開口部と吸着用ファン吹出口の両方が、例えば、右側面５０ｅに形成されてもよく、又は左側面５０ｆに形成されてもよい。
【００８１】
（５−８）
変形例１Ｄで説明したように、吸着ロータ３２の下方に吸着用ファン３４が配置されている場合に、下側面５０ｄに吸着用ファン吹出口５６が形成されていると、吸着前空気を下側面５０ｄよりも上の吸着前空気取入口５２から取り入れるように構成され、吸着ロータ３２に供給される吸着前空気に吸着後空気が混ざるショートサーキットが防止される。
【００８２】
（５−９）
上記第１実施形態のケーシング５０では、左側面５０ｆが設置された状態で上下（Ｚ軸方向）に広がっている。この左側面５０ｆは、設置された状態で上下に広がるとともに配管接続部３１ａ，３１ｂが突出している第４側面である。この左側面５０ｆには、第４開口部である開口部５５が形成されている。左側面５０ｆに配管接続部３１ａ，３１ｂが突出していることから、突出した配管接続部３１ａ，３１ｂを配置するための配置空間と開口部からケーシングの外側に出る加湿ホース３６の敷設領域とを兼用できる。その結果、加湿ホース３６の敷設領域を確保しやすくなり、壁１００に対向する加湿ユニット３０の設置が容易になっている。
【００８３】
＜第２実施形態＞
（６）全体構成
第２実施形態では、空気調和装置１に組み込まれた加湿ユニットの他の形態を説明している。図１６には第２実施形態に係る加湿ユニット３０Ｄを正面から見た状態が示されている。また、図１７には、図１６のＩＩ−ＩＩ線に沿って加湿ユニット３０Ｄを切断して右側から見た状態が示され、図１８には、図１６のＩＩ−ＩＩ線に沿って加湿ユニット３０Ｄを切断して左側から見た状態が示されている。
【００８４】
図１７及び図１８を見れば分かるように、第２実施形態では、ケーシング５０Ｄの背面に対して、吸着ロータ３２が斜めに配置されている。吸着ロータ３２が斜めに配置されているので、第１実施形態のケーシング５０におけるＺ軸方向の寸法Ｍ４に比べて、第２実施形態のケーシング５０ＤにおけるＺ軸方向の寸法Ｍ５を小さくすることができている。
【００８５】
第２実施形態の加湿ユニット３０Ｄが組み込まれた空気調和装置は、例えば、第１実施形態の加湿ユニット３０が組み込まれた空気調和装置１において加湿ユニット３０と加湿ユニット３０Ｄを入れ替えることができ、そのように入れ替えた場合の空気調和装置の構成は図１と同じになる。であるから、第２実施形態の加湿ユニット３０Ｄが空気調和装置に組み込まれたときの構成については説明を省略する。同様に、第２実施形態の加湿ユニット３０Ｄが組み込まれた空気調和装置の動作についても同様であるので、第２実施形態の加湿ユニット３０Ｄが組み込まれた空気調和装置の動作の説明を省略する。
【００８６】
加湿ユニット３０Ｄは、加湿ユニット３０と同様に、再生用熱交換器３１と吸着ロータ３２とロータ用モータ３３と吸着用ファン３４と再生用ファン３５と加湿ホース３６とを備えている。加湿ユニット３０Ｄと加湿ユニット３０では、吸着ロータ３２が傾斜しているために、再生用熱交換器３１と吸着ロータ３２とロータ用モータ３３と吸着用ファン３４と再生用ファン３５と加湿ホース３６の配置や構造が異なるので、これらの異なる点について以下に説明する。
【００８７】
（７）詳細構成
（７−１）各部の配置と構造
図１８に示されているように、吸着ロータ３２は、背面５０ｂに対して傾斜した第１回転軸３２ｄの周りで回転する。例えば、第１回転軸３２ｄとＸ軸とのなす角αが１０度〜３０度になるように吸着ロータ３２が配置される。ここでは、第１回転軸３２ｄとＸ軸とのなす角αが約１５度になるように配置されている。このように配置された吸着ロータ３２の裏面３２ｂに平行に再生用熱交換器３１が配置されている。例えば、再生用熱交換器３１のフィンの正面側端部の包絡面３１Ｐが実質的に吸着ロータ３２の裏面３２ｂに平行になっている。再生用熱交換器３１については、吸着ロータ３２に再生用熱交換器３１を近づけて熱エネルギーのロスを小さくするのに、吸着ロータ３２に沿うように斜めに配置されていることが好ましい。この場合、吸着ロータ３２の裏面３２ｂに対して±１０度傾くものも吸着ロータ３２に沿うものに含まれる。この再生用熱交換器３１は、重心がケーシング５０Ｄの正面５０ａよりも背面５０ｂに近い点に位置するように配置されている。再生用熱交換器３１の重心がケーシング５０Ｄの背面５０ｂに近い点に位置すると、重心が正面５０ａに近いところにある場合に比べて加湿ユニット３０Ｄを壁１００から離す方向に働く力のモーメントが小さくなるので、壁面ＷＳに背面５０ｂを対向させて設置し易くなる。
【００８８】
再生用熱交換器３１に送られる再生前空気は、右側面５０ｅ及び左側面５０ｆに形成されている再生前空気取入口５４から取り入れられる。再生前空気取入口５４は、吸着ロータ３２の傾斜に沿って斜めにカットされた斜めカット部５４ａを含んでいる。このような斜めカット部５４ａによって開口部が広がる分だけ再生前空気取入口５４が大きくなっており、再生前空気の流路抵抗が小さくなっている。
【００８９】
吸着用ファンロータ３４ａの第２回転軸３４ｂ及び再生用ファンロータ３５ａの第３回転軸３５ｂは、いずれも背面５０ｂに対する垂直方向（Ｙ軸方向）に延びている。言い換えると、吸着用ファンロータ３４ａも再生用ファンロータ３５ａも背面５０ｂに平行な面内で回転するように、吸着用ファン３４及び再生用ファン３５が配置されている。また、吸着用ファン３４及び再生用ファン３５は、それぞれの重心がケーシング５０Ｄの正面５０ａよりも背面５０ｂに近い点に位置するように配置されている。重量物である吸着用ファン３４と再生用ファン３５の重心がケーシング５０Ｄの背面５０ｂに近い点に位置すると、重心が正面５０ａに近いところにある場合に比べて加湿ユニット３０Ｄを壁１００から離す方向に働く力のモーメントが小さくなるので、壁面ＷＳに背面５０ｂを対向させて設置し易くなる。
【００９０】
図１７に示されているように、吸着用ファン３４は、ベルマウス３４ｇの吸込円孔３４ｆの領域ＲＥ１と吸着ロータ３２の一部領域ＲＥ２が正面視において重なるように配置されている。吸着ロータ３２の一部領域ＲＥ２は、吸着用ファン３４とケーシング５０Ｄの正面５０ａの間に配置されている。吸着用ファン３４とケーシング５０Ｄの正面５０ａとの間に吸着ロータ３２の一部領域ＲＥ２が配置されることで、吸着ロータに吸着前空気を導くときの流路抵抗を低く抑えることができ、吸着用ファン３４の小型化ができている。
【００９１】
そして、図１７に示されている吸着ロータ３２の裏面３２ｂのうち、ベルマウス３４ｇの吸込円孔３４ｆから最も遠い最離反箇所Ｐ１が吸込円孔３４ｆの半径ｒ１の６０％離れている。吸着用ファン３４のベルマウス３４ｇの吸込円孔３４ｆのうちの吸着ロータ３２と重なっていない領域について吸着ロータ３２と吸着用ファン３４との間で空気を流れ易くするためには、半径ｒ１の１０％以上離れるように配置されることが好ましい。また、吸着ロータ３２が吸着用ファン３４から離れすぎると、加湿ユニット３０Ｄの薄型化が難しくなるので、吸着ロータ３２は、例えば、最離反箇所Ｐ１が吸込円孔３４ｆの半径ｒ１の４０％以上離れる場合においては、吸込円孔３４ｆから最も近い最近接箇所Ｐ２が離れる距離は、吸込円孔３４ｆの半径ｒ１の４０％未満になるように設定される。ここでは、吸込円孔３４ｆから最近接箇所Ｐ２までの距離が吸込円孔３４ｆの半径ｒ１の約３５％になっている。
【００９２】
再生用ファン３５は、再生用熱交換器３１から吸着ロータ３２の裏面３２ｂ、表面３２ａの順に通過してきた再生後空気を、ケーシング５０Ｄの正面５０ａに沿って配置されている再生後空気用ダクト３５ｅで吸着ロータ３２の吸込口３５ｆに送る。再生用ファン３５の再生用ファンロータ３５ａには、正面５０ａから背面５０ｂに向かう方向に再生後空気が吸入される。この場合も、吸着ロータ３２において、吸着領域では、空気が吸着ロータ３２の表面３２ａから裏面３２ｂに向かって流れ、再生領域では、空気が吸着ロータ３２の裏面３２ｂから表面３２ａに向かって流れる。つまり、吸着用ファン３４と再生用ファン３５は、吸着前空気の気流と再生前空気の気流が対向流となるように配置されている。
【００９３】
（７−２）吸着ロータ３２と吸着用ファン３４と再生用ファン３５の位置関係
第２実施形態においても第１実施形態と同様に、吸着ロータ３２と吸着用ファンロータ３４ａと再生用ファンロータ３５ａは、背面５０ｂに沿って一方向（Ｚ軸方向）に並べて配列されている。吸着ロータ３２の第１回転軸３２ｄと吸着用ファンロータ３４ａの第２回転軸３４ｂと再生用ファンロータ３５ａの第３回転軸３５ｂとが、Ｚ軸方向に延びる一つの直線Ｌ２を通るＹＺ平面内に並んでいる。吸着ロータ３２と吸着用ファンロータ３４ａと再生用ファンロータ３５ａの配列方向視、つまり直線Ｌ２に沿って下側面５０ｄから上側面５０ｃの方を見ると、図１９に示されているように、吸着ロータ３２の一部と吸着用ファンロータ３４ａの一部とが再生用ファンロータ３５ａの一部と重なり、正面５０ａと背面５０ｂの距離を縮めてＹ軸方向の寸法Ｍ６を小さくでき、加湿ユニット３０Ｄが薄型化できている。
【００９４】
また、第１回転軸３２ｄと第２回転軸３４ｂとの第３回転軸３５ｂとが、Ｚ軸方向に延びる一つの直線Ｌ２を通るＹＺ平面内に並んでいることから、吸着用ファンロータ３４ａと再生用ファンロータ３５ａとが吸着ロータ３２からＸ軸方向にはみ出さないので、Ｘ軸方向のケーシング５０の寸法Ｍ７を小さくすることができる。
【００９５】
（８）変形例
（８−１）変形例２Ａ
上記第２実施形態では、吸着用ファン３４と再生用ファン３５は、吸着前空気の気流と再生前空気の気流が対向流となるように配置されていたが、吸着用ファン３４と再生用ファン３５は、図２０に示されているように、吸着前空気の気流と再生前空気の気流が同じ向きに流れるように配置されてもよい。図２０に示されている加湿ユニット３０Ｅでは、ケーシング５０Ｅの正面５０ａに再生前空気取入口５７が形成されている。再生前空気取入口５７は、正面視において、再生用熱交換器３１と実質的に同じ大きさを有している長方形状に形成されている。再生前空気取入口５７にはグリッド５８が取り付けられている。なお、正面５０ａに再生前空気取入口５７を形成して場合でも、上記第２実施形態と同様に右側面５０ｅ及び左側面５０ｆに、再生前空気取入口を正面５０ａに近づけて設けてもよい。
【００９６】
（８−２）変形例２Ｂ
上記第２実施形態及び変形例２Ａでは、ケーシング５０Ｄ，５０Ｅの長手方向（寸法Ｍ５の辺が延びる方向）がＺ軸方向に一致するように加湿ユニット３０Ｄ，３０Ｅが取り付けられているが、背面５０ｂに平行な面内で回転させて、例えばケーシング５０Ｄ，５０Ｅの長手方向がＸ軸方向に延びるように加湿ユニット３０Ｄ，３０Ｅが取り付けられてもよい。
【００９７】
（８−３）変形例２Ｃ
上記第２実施形態または変形例２Ａのケーシング５０Ｄ，５０Ｅには、左側面５０ｆに開口部５５が形成されている場合について説明したが、第１実施形態の図１２及び図１３に示されているケーシング５０Ｂのように、右側面５０ｅと左側面５０ｆの互いに対向する異なる側面に２つの開口部５５ａ，５５ｂを形成してもよい。通常は一方しか使用しないので、開口部５５ａ，５５ｂのうちの使用されない方は、例えば、金属、樹脂またはエラストマーからなるキャップで塞いでおけばよい。また、互いに対向する異なる側面としては、上側面５０ｃと下側面５０ｄの組み合わせもある。なお、右側面５０ｅの代わりに右側面５０ｅと右傾斜面５０ｇの両方に又は左側面５０ｆの代わりに左側面５０ｆと左傾斜面５０ｈの両方に開口部５５が掛かるように構成してもよい。
【００９８】
また、２つの開口部５５ａ，５５ｂを形成する互いに異なる側面は、例えば右側面５０ｅと上側面５０ｃ、右側面５０ｅと下側面５０ｄ、左側面５０ｆと上側面５０ｃ、左側面５０ｆと下側面５０ｄ、または上側面５０ｃと下側面５０ｄであってもよい。
【００９９】
（８−４）変形例２Ｄ
上記変形例２Ｃでは、互いに異なる２つの側面に開口部５５ａ，５５ｂを形成する場合について説明したが、第１実施形態の図１４を用いて説明したように、右側面５０ｅと左側面５０ｆ以外に下側面５０ｄに開口部５５ｃをさらに設けて、右側面５０ｅと左側面５０ｆと下側面５０ｄの３つの側面に開口部５５ａ〜５５ｃを設ける構成としてもよい。このように、互いに対向する２つの側面と、それらの間に配置されている他の側面に開口部５５ａ〜５５ｃが形成される例としては、右側面５０ｅと左側面５０ｆと上側面５０ｃ、右側面５０ｅと上側面５０ｃと下側面５０ｄ、及び左側面５０ｆと上側面５０ｃと下側面５０ｄの組み合わせがある。なお、右側面５０ｅの代わりに右側面５０ｅと右傾斜面５０ｇの両方に又は左側面５０ｆの代わりに左側面５０ｆと左傾斜面５０ｈの両方に開口部５５が掛かるように構成してもよい。
【０１００】
（８−５）変形例２Ｅ
上記第２実施形態においても、例えば、図１５（ｂ）を用いて説明したように、ケーシング５０Ｄ，５０Ｅの内部に第１加湿ホースを配管し、ケーシング５０Ｄ，５０Ｅの外部に、第１加湿ホースに接続される第２加湿ホースを配管するように構成してもよい。また、例えば、図１５（ｃ）を用いて説明したように、ケーシング５０Ｄ，５０Ｅの内部の一部に第１加湿ホースを配管し、ケーシング５０Ｄ，５０Ｅの内部の他の部分及び外部に、第１加湿ホースに接続される第２加湿ホースを配管するように構成してもよい。また、第１加湿ホースと第２加湿ホースは、同じ部材でなくてもよく、異なる部材が用いられてもよい。また、第１加湿ホースと第２加湿ホース以外のさらに他の部材を継ぎ足して送出部材を形成してもよい。
【０１０１】
（９）特徴
第２実施形態及び変形例２Ａ〜２Ｅの加湿ユニット３０Ｄ，３０Ｅは、上述の（５−１）〜（５−９）で説明した第１実施形態の加湿ユニット３０及び変形例１Ａ〜１Ｅの加湿ユニット３０Ａ〜３０Ｃと同様の特徴を有していることが明らかであるので、これらの特徴の説明を省略する。
【０１０２】
＜第３実施形態＞
（１０）全体構成
上述の加湿ユニット３０，３０Ａ〜３０Ｅは、空気調和装置１に組み込まれて室内ＩＤの加湿を行う調湿ユニットの一例として説明されているが、これらの加湿ユニット３０，３０Ａ〜３０Ｅと同じユニットを室内ＩＤに設置して再生後空気を室外に排出することで、除湿ユニットとして用いることもできる。
【０１０３】
図２１には、除湿ユニット３０Ｆが取り付けられた空気調和装置１が示されている。また、図２２には、図２１に示されている除湿ユニット３０Ｆの構成の概念が示されている。この除湿ユニット３０Ｆが第３実施形態における調湿ユニットの一例である。第３実施形態の除湿ユニット３０Ｆは、第１実施形態の加湿ユニット３０と同様に再生用熱交換器３１と吸着ロータ３２とロータ用モータ３３と吸着用ファン３４と再生用ファン３５とケーシング５０Ｆとを備え、第１実施形態の加湿ユニット３０が備える加湿ホース３６の代わりに排気ホース３７を備えている。ケーシング５０Ｆは、例えばケーシング５０，５０Ａ〜５０Ｅと同様に構成することができる。排気ホース３７以外の構成は、第３実施形態の除湿ユニット３０Ｆと第１実施形態の加湿ユニット３０とは同じであるので説明を省略する。
【０１０４】
除湿ユニット３０Ｆにおいては、排気ホース３７が送出部材である。つまり、図６に示されている開口部５５は、送出部材である排気ホース３７をケーシング５０Ｆの内側から外側に出して配置することのできる開口部であり、左側面５０ｆに形成されている。
【０１０５】
（１１）除湿ユニット３０Ｆの動作
図２３には、室内ＩＤに除湿ユニット３０Ｆのケーシング５０Ｆが取り付けられている状態が示されている。除湿ユニット３０Ｆからは、壁１００の貫通孔１０１を通って排気ホース３７が室外ＯＤまで延びている。貫通孔１０１を通って室外機２から室内ＩＤまで配管されている冷媒連絡管６は、除湿ユニット３０Ｆの配管接続部３１ａに接続され、貫通孔１０１を通って室外機２から室内ＩＤまで配管されている冷媒連絡管５は、室内機４（接続管７２）に接続されている。室内機４（接続管７１）と除湿ユニット３０Ｆの配管接続部３１ｂとが室内ＩＤにおいて配管されている冷媒連絡管６によって接続されている。除湿ユニット３０Ｆは、例えば室内機４とは異なる部屋に取り付けられ、例えば乾燥室に配置される。
【０１０６】
除湿ユニット３０Ｆが除湿を行うときには、吸着用ファン３４により吸着前空気が室内ＩＤから吸着前空気取入口５２を通って取り入れられて吸着ロータ３２に送られる。そして、吸着ロータ３２で水分を奪われて乾燥した吸着後空気が、吸着用ファン３４によって吸着用ファン吹出口５６から室内ＩＤに吹出される。また、再生用ファン３５により再生前空気が室内ＩＤから再生前空気取入口５４を通って取り入れられて吸着ロータ３２に送られる。吸着ロータ３２で水分を与えられた再生後空気が、再生用ファン３５によって排気ホース３７を通って室外ＯＤに吹き出される。
【０１０７】
（１２）変形例
（１２−１）変形例３Ａ
上記第３実施形態では、図２１において、室内機４と除湿ユニット３０Ｆを併用する場合について説明したが、図２４に示されているように、室内機４を除いて除湿ユニット３０Ｆと室外機２とを直接接続して用いることもできる。
【０１０８】
（１２−２）変形例３Ｂ
第３実施形態でも、第１実施形態と同様に、ケーシング５０Ｆの長手方向（寸法Ｍ４の辺が延びる方向）がＺ軸方向に一致するように加湿ユニット３０が取り付けられるが、背面５０ｂに平行な面内で回転させて、例えばケーシング５０Ｆの長手方向がＸ軸方向に延びるように加湿ユニット３０が取り付けられてもよい。
【０１０９】
（１２−３）変形例３Ｃ
第３実施形態においても、第１実施形態と同様に、例えば、図１５（ｂ）を用いて説明したように、ケーシング５０Ｆの内部に第１排気ホースを配管し、ケーシング５０Ｆの外部に、第１排気ホースに接続される第２排気ホースを配管するように構成してもよい。また、例えば、図１５（ｃ）を用いて説明したように、ケーシング５０Ｆの内部の一部に第１排気ホースを配管し、ケーシング５０Ｆの内部の他の部分及び外部に、第１排気ホースに接続される第２排気ホースを配管するように構成してもよい。また、第１排気ホースと第２排気ホースは、同じ部材でなくてもよく、異なる部材が用いられてもよい。また、第１排気ホースと第２排気ホース以外のさらに他の部材を継ぎ足して送出部材を形成してもよい。
【０１１０】
（１２−４）変形例３Ｄ
第３実施形態における少なくとも一つの開口部が形成される場所は、第１実施形態及び変形例１Ｃ，１Ｄで説明された開口部５５，５５ａ〜５５ｃと同様の場所に形成することができる。
【０１１１】
（１３）特徴
（１３−１）
第３実施形態の除湿ユニット３０Ｆは、調湿ユニットの一例である。この除湿ユニット３０Ｆにおいて、ケーシング５０Ｆは、鉛直方向に沿う壁１００に背面５０ｂを対向させて設置されている。そして、ケーシング５０Ｆは、背面５０ｂに対向する正面５０ａ及び正面５０ａと背面５０ｂとの間にある側面として、上側面５０ｃ、下側面５０ｄ、右側面５０ｅ、及び左側面５０ｆを有している。除湿ユニット３０Ｆは、ケーシング５０Ｆの配置されている第１空間である室内ＩＤから壁１００で隔絶された第２空間である室外ＯＤに対して、吸着ロータ３２に水分を与えられた再生後空気を送る送出部材として、排気ホース３７を備えている。排気ホース３７をケーシング５０Ｆの内側から外側に出して配置することのできる少なくとも一つの開口部５５，５５ａ〜５５ｃがケーシング５０Ｆの上側面５０ｃ、下側面５０ｄ、右側面５０ｅ、及び左側面５０ｆの少なくとも一つに形成されていることから、開口部５５，５５ａ〜５５ｃから取り出した排気ホース３７をケーシング５０Ｆの外側で自由に敷設することができる。その結果、除湿ユニット３０Ｆの設置の自由度を向上させて除湿ユニット３０Ｆを設置できないケースを減らすことができる。
【０１１２】
（１３−２）
第３実施形態の除湿ユニット３０Ｆは、また、上述の（５−２）〜（５−９）で説明した第１実施形態の加湿ユニット３０及び変形例１Ａ〜１Ｅの加湿ユニット３０Ａ〜３０Ｃと同様の特徴を有していることが明らかであるので、これらの特徴の説明を省略する。
【０１１３】
＜第４実施形態＞
（１４）全体構成
上記第３実施形態では、室内ＩＤに除湿ユニット３０Ｆを設置して室内ＩＤを除湿する場合について説明したが、図２５に示されている加湿ユニット３０Ｇを室内ＩＤに設置して室内ＩＤを加湿するように構成することもできる。なお、図２６には、図２５に示されている加湿ユニット３０Ｇの構成の概念が示されている。
【０１１４】
この加湿ユニット３０Ｇが第４実施形態における調湿ユニットの一例である。第４実施形態の加湿ユニット３０Ｇは、第１実施形態の加湿ユニット３０と同様に、再生用熱交換器３１と吸着ロータ３２とロータ用モータ３３と吸着用ファン３４と再生用ファン３５とケーシング５０Ｇと加湿ホース３６とを備えている。ケーシング５０Ｇは、例えばケーシング５０，５０Ａ〜５０Ｅと同様に構成することができる。第４実施形態に係る加湿ユニット３０Ｇは、さらに、貫通孔１０１を通って室外ＯＤから吸着前空気を取り入れるための給気ホース３８と、貫通孔１０１を通って室外ＯＤに吸着後空気を排気するための排気ホース３７とを備えている。なお、加湿ユニット３０Ｇの加湿ホース３６は、室内ＩＤにおいて加湿ユニット３０Ｇと室内機４とを接続するホースである。排気ホース３７及び給気ホース３８以外の構成は、第４実施形態の加湿ユニット３０Ｇと第１実施形態の加湿ユニット３０とは同じであるので説明を省略する。
【０１１５】
（１５）加湿ユニット３０Ｇの動作
図２７には、室内ＩＤに加湿ユニット３０Ｇのケーシング５０Ｇが取り付けられている状態が示されている。加湿ユニット３０Ｇが加湿を行うときには、吸着用ファン３４により吸着前空気が室外ＯＤから給気ホース３８及び吸着前空気取入口５２を通って取り入れられて吸着ロータ３２に送られる。そして、吸着ロータ３２で水分を奪われて乾燥した吸着後空気が、吸着用ファン３４によって吸着用ファン吹出口５６から排気ホース３７を通って室外ＯＤに吹出される。また、再生用ファン３５により再生前空気が室内ＩＤから再生前空気取入口５４を通って取り入れられて吸着ロータ３２に送られる。吸着ロータ３２で水分を与えられた再生後空気が、再生用ファン３５によって加湿ホース３６を通って室内機４に送られる。
【０１１６】
（１５）変形例４Ａ
第４実施形態では室内ＩＤに設置された加湿ユニット３０Ｇについて説明した。また、第３実施形態では室内ＩＤに設置された除湿ユニット３０Ｆについて説明した。吸着用ファン３４及び再生用ファン３５の吸排気を切り換えるダンパを設けることで、これらの加湿機能と除湿機能を併せ持つ除加湿ユニットを構成することもできる。
【０１１７】
図２８には、加湿機能と除湿機能を併せ持つ調湿ユニット３０Ｈが示されている。調湿ユニット３０Ｈは、加湿ユニット３０Ｇの構成に対して、４つのダンパ６１〜６４をさらに備えている。ダンパ６１，６２は、吸着前空気と再生前空気のうちの一方を室内ＩＤから取り入れ、他方を室外ＯＤから取り入れるように切り換える。ダンパ６３，６４は、吸着用ファン３４により吹出される吸着後空気と再生用ファン３５により吹出される再生後空気のうちの一方を室内ＩＤに吹出させ、他方を室外ＯＤに吹出させるように切り換える。
【０１１８】
ダンパ６１，６２が図２８の実線で示されている状態になっているときには、吸着用ファン３４により給気ホース３８を通って室外ＯＤから吸着前空気が取り入れられて吸着ロータ３２に送られ、再生用ファン３５によって再生前空気が室内ＩＤから再生前空気取入口５４から取り入れられて吸着ロータ３２に送られる。ダンパ６３，６４が図２８に実線で示されている状態になっているときには、吸着用ファン３４によって吸着後空気が排気ホース３７を通って室外ＯＤに吹出され、再生用ファン３５によって再生後空気が調湿ホース３６Ａを通って室内ＩＤに吹出されて、室内ＩＤの加湿が行われる。
【０１１９】
それに対して、ダンパ６１，６２が図２８の破線で示されている状態になっているときには、吸着用ファン３４によって室内ＩＤから吸着前空気が取り入れられ、再生ファン３５によって再生前空気が給気ホース３８を通って室外ＯＤから取り入れられて吸着ロータ３２に送られる。そして、ダンパ６３，６４が図２８の破線で示されている状態になっているときには、吸着用ファン３４によって吸着後空気が調湿ホース３６Ａを通って室内ＩＤに吹出され、再生用ファン３５によって再生後空気が排気ホース３７を通って室外ＯＤに吹出されて、室内ＩＤの除湿が行われる。なお、ダンパ６１〜６４は、シャッタで構成してもよく、またケーシング５０Ｈの外に設けられてもよい。
【０１２０】
この場合には、第４実施形態のようにケーシング５０Ｈの内側から外側に出す送出部材である排気ホース３７のための開口部５５を左側面５０ｆに設けるだけでなく、同じ左側面５０ｆに送入部材である給気ホース３８をケーシング５０Ｈの外側から内側に入れる開口部を設けることが好ましい。このような送入部材をケーシング５０Ｈの内側に入れる開口部を側面に形成することで、調湿ユニット３０Ｈの設置の自由度を向上させて調湿ユニット３０Ｈを設置できないケースを減らすことができる。
【０１２１】
（１６）特徴
（１６−１）
第４実施形態の加湿ユニット３０Ｇ及び変形例４Ａの調湿ユニット３０Ｈは、調湿ユニットの一例である。この加湿ユニット３０Ｇ及び調湿ユニット３０Ｈにおいて、ケーシング５０Ｇ，５０Ｈは、鉛直方向に沿う壁１００に背面５０ｂを対向させて設置されている。そして、ケーシング５０Ｇ，５０Ｈは、背面５０ｂに対向する正面５０ａ及び正面５０ａと背面５０ｂとの間にある側面として、上側面５０ｃ、下側面５０ｄ、右側面５０ｅ、及び左側面５０ｆを有している。加湿ユニット３０Ｇ及び調湿ユニット３０Ｈは、ケーシング５０Ｇ，５０Ｈの配置されている第１空間である室内ＩＤから壁１００で隔絶された第２空間である室外ＯＤに対して、吸着ロータ３２に水分を奪われた吸着後空気を送る送出部材として、排気ホース３７を備えている。排気ホース３７をケーシング５０Ｇ，５０Ｈの内側から外側に出して配置することのできる少なくとも一つの開口部５５，５５ａ〜５５ｃがケーシング５０Ｇの上側面５０ｃ、下側面５０ｄ、右側面５０ｅ、及び左側面５０ｆの少なくとも一つに形成されていることから、開口部５５，５５ａ〜５５ｃから取り出した排気ホース３７をケーシング５０Ｇの外側で自由に敷設することができる。その結果、加湿ユニット３０Ｇの設置の自由度を向上させて加湿ユニット３０Ｇを設置できないケースを減らすことができる。同様に、調湿ユニット３０Ｈの設置の自由度を向上させて調湿ユニット３０Ｈを設置できないケースを減らすことができる。
【０１２２】
（１６−２）
第４実施形態の加湿ユニット３０Ｇは、また、上述の（５−２）〜（５−９）で説明した第１実施形態の加湿ユニット３０及び変形例１Ａ〜１Ｅの加湿ユニット３０Ａ〜３０Ｃと同様の特徴を有していることが明らかであるので、これらの特徴の説明を省略する。
【０１２３】
＜第５実施形態＞
（１７）全体構成
上記第１実施形態では、室外ＯＤに加湿ユニット３０を設置して室内ＩＤを加湿する場合について説明したが、図２９に示されている除湿ユニット３０Ｉを室外ＯＤに設置して室内ＩＤを除湿するように構成することもできる。なお、図３０には、図２９に示されている除湿ユニット３０Ｉの構成の概念が示されている。
【０１２４】
この除湿ユニット３０Ｉが第５実施形態における調湿ユニットの一例である。第５実施形態の除湿ユニット３０Ｉは、第１実施形態の加湿ユニット３０と同様に、再生用熱交換器３１と吸着ロータ３２とロータ用モータ３３と吸着用ファン３４と再生用ファン３５とケーシング５０Ｉとを備えている。ケーシング５０Ｉは、例えばケーシング５０，５０Ａ〜５０Ｅと同様に構成することができる。第５実施形態に係る除湿ユニット３０Ｉは、さらに、貫通孔１０１を通って室内ＩＤから吸着前空気を取り入れるための給気ホース３８と、貫通孔１０１を通って室内ＩＤに吸着後空気を送るための調湿ホース３６Ａとを備えている。調湿ホース３６Ａ及び給気ホース３８以外の構成は、第５実施形態の除湿ユニット３０Ｉと第１実施形態の加湿ユニット３０とは同じであるので説明を省略する。
【０１２５】
（１８）除湿ユニット３０Ｉの動作
図３１には、室外ＯＤに除湿ユニット３０Ｉのケーシング５０Ｉが取り付けられている状態が示されている。除湿ユニット３０Ｉが除湿を行うときには、吸着用ファン３４により吸着前空気が室内ＩＤから給気ホース３８及び吸着前空気取入口５２を通って取り入れられて吸着ロータ３２に送られる。そして、吸着ロータ３２で水分を奪われて乾燥した吸着後空気が、吸着用ファン３４によって吸着用ファン吹出口５６から調湿ホース３６Ａを通って室内ＩＤに吹出される。また、再生用ファン３５により再生前空気が室外ＯＤから再生前空気取入口５４を通って取り入れられて吸着ロータ３２に送られる。吸着ロータ３２で水分を与えられた再生後空気が、再生用ファン３５によって室外ＯＤに吹出される。
【０１２６】
（１９）変形例５Ａ
第５実施形態では室外ＯＤに設置された除湿ユニット３０Ｉについて説明した。また、第１実施形態では室外ＯＤに設置された加湿ユニット３０について説明した。吸着用ファン３４及び再生用ファン３５の吸排気を切り換えるダンパを設けることで、これらの加湿機能と除湿機能を併せ持つ除加湿ユニットを構成することもできる。
【０１２７】
図３２には、加湿機能と除湿機能を併せ持つ調湿ユニット３０Ｊが示されている。調湿ユニット３０Ｊは、除湿ユニット３０Ｉの構成に対して、４つのダンパ６６〜６９をさらに備えている。ダンパ６６，６７は、吸着前空気と再生前空気のうちの一方を室内ＩＤから取り入れ、他方を室外ＯＤから取り入れるように切り換える。ダンパ６８，６９は、吸着用ファン３４により吹出される吸着後空気と再生用ファン３５により吹出される再生後空気の一方を室内ＩＤに吹出させ、他方を室外ＯＤに吹出させるように切り換える。
【０１２８】
ダンパ６６，６７が図３２の実線で示されている状態になっているときには、吸着用ファン３４により室外ＯＤから吸着前空気が取り入れられて吸着ロータ３２に送られ、再生用ファン３５によって給気ホース３８を通って再生前空気が室内ＩＤから取り入れられて吸着ロータ３２に送られる。ダンパ６８，６９が図３２に実線で示されている状態になっているときには、吸着用ファン３４によって吸着後空気が室外ＯＤに吹出され、再生用ファン３５によって再生後空気が調湿ホース３６Ａを通って室内ＩＤに吹出されて、室内ＩＤの加湿が行われる。
【０１２９】
それに対して、ダンパ６８，６９が図３２の破線で示されている状態になっているときには、吸着用ファン３４により室内ＩＤから給気ホース３８を通って吸着前空気が取り入れられて吸着ロータ３２に送られ、再生用ファン３５によって再生前空気が室外ＯＤから再生前空気取入口５４に取り入れられて吸着ロータ３２に送られる。ダンパ６８，６９が図３２の破線で示されている状態になっているときには、吸着用ファン３４によって吸着後空気が調湿ホース３６Ａを通って室内ＩＤに吹出され、再生用ファン３５によって再生後空気が室外ＯＤに吹出されて、室内ＩＤの除湿が行われる。なお、ダンパ６６〜６９は、シャッタで構成してもよく、ケーシング５０Ｊの外に設けられてもよい。
【０１３０】
この場合には、第１実施形態のようにケーシング５０Ｊの内側から外側に出す送出部材である調湿ホース３６Ａのための開口部５５を左側面５０ｆに設けるだけでなく、同じ左側面５０ｆに送入部材である給気ホース３８をケーシング５０Ｊの外側から内側に入れる開口部を設けることが好ましい。このような送入部材をケーシング５０Ｊの内側に入れる開口部を側面に形成することで、調湿ユニット３０Ｊの設置の自由度を向上させて調湿ユニット３０Ｊを設置できないケースを減らすことができる。
【０１３１】
（２０）特徴
（２０−１）
第５実施形態の除湿ユニット３０Ｉ及び変形例５Ａの調湿ユニット３０Ｊは、調湿ユニットの一例である。この除湿ユニット３０Ｉ及び調湿ユニット３０Ｊにおいて、ケーシング５０Ｉ，５０Ｊは、鉛直方向に沿う壁１００に背面５０ｂを対向させて設置されている。そして、ケーシング５０Ｉ，５０Ｊは、背面５０ｂに対向する正面５０ａ及び正面５０ａと背面５０ｂとの間にある側面として、上側面５０ｃ、下側面５０ｄ、右側面５０ｅ、及び左側面５０ｆを有している。除湿ユニット３０Ｉ及び調湿ユニット３０Ｊは、ケーシング５０Ｉ，５０Ｊの配置されている第１空間である室内ＩＤから壁１００で隔絶された第２空間である室外ＯＤに対して、吸着ロータ３２から水分を与えられた再生後空気を送る送出部材又は吸着ロータ３２に水分を奪われた吸着後空気を送る送出部材として、調湿ホース３６Ａを備えている。調湿ホース３６Ａをケーシング５０Ｉ，５０Ｊの内側から外側に出して配置することのできる少なくとも一つの開口部５５，５５ａ〜５５ｃがケーシング５０Ｇの上側面５０ｃ、下側面５０ｄ、右側面５０ｅ、及び左側面５０ｆの少なくとも一つに形成されていることから、開口部５５，５５ａ〜５５ｃから取り出した調湿ホース３６Ａをケーシング５０Ｇの外側で自由に敷設することができる。その結果、除湿ユニット３０Ｉの設置の自由度を向上させて除湿ユニット３０Ｉを設置できないケースを減らすことができる。同様に、調湿ユニット３０Ｊの設置の自由度を向上させて調湿ユニット３０Ｊを設置できないケースを減らすことができる。
【０１３２】
（２０−２）
第５実施形態の除湿ユニット３０Ｉは、また、上述の（５−２）〜（５−９）で説明した第１実施形態の加湿ユニット３０及び変形例１Ａ〜１Ｅの加湿ユニット３０Ａ〜３０Ｃと同様の特徴を有していることが明らかであるので、これらの特徴の説明を省略する。
【符号の説明】
【０１３３】
１  空気調和装置
２  室外機
４  室内機
３０，３０Ａ〜３０Ｃ，３０Ｅ，３０Ｇ  加湿ユニット（調湿ユニットの例）
３０Ｆ，３０Ｉ  除湿ユニット（調湿ユニットの例）
３０Ｈ，３０Ｊ  調湿ユニット
３１  再生用熱交換器
３２  吸着ロータ
３４  吸着用ファン
３４ａ  吸着用ファンロータ
３５  再生用ファン
３５ａ  再生用ファンロータ
３６，３６Ａ  加湿ホース（送出部材の例）
３７  排気ホース（送出部材の例）
３８  給気ホース
５０，５０Ａ〜５０Ｊ  ケーシング
５２  吸着前空気取入口
５４，５７  再生前空気取入口
５５，５５ａ〜５５ｃ  開口部
５６  吸着用ファン吹出口
【先行技術文献】
【特許文献】
【０１３４】
【特許文献１】特開２０１４−１２９９５０号公報
【図１】
2018179364.tif 000003
【図２】
2018179364.tif 000004
【図３】
2018179364.tif 000005
【図４】
2018179364.tif 000006
【図５】
2018179364.tif 000007
【図６】
2018179364.tif 000008
【図７】
2018179364.tif 000009
【図８】
2018179364.tif 000010
【図９】
2018179364.tif 000011
【図１０】
2018179364.tif 000012
【図１１】
2018179364.tif 000013
【図１２】
2018179364.tif 000014
【図１３】
2018179364.tif 000015
【図１４】
2018179364.tif 000016
【図１５】
2018179364.tif 000017
【図１６】
2018179364.tif 000018
【図１７】
2018179364.tif 000019
【図１８】
2018179364.tif 000020
【図１９】
2018179364.tif 000021
【図２０】
2018179364.tif 000022
【図２１】
2018179364.tif 000023
【図２２】
2018179364.tif 000024
【図２３】
2018179364.tif 000025
【図２４】
2018179364.tif 000026
【図２５】
2018179364.tif 000027
【図２６】
2018179364.tif 000028
【図２７】
2018179364.tif 000029
【図２８】
2018179364.tif 000030
【図２９】
2018179364.tif 000031
【図３０】
2018179364.tif 000032
【図３１】
2018179364.tif 000033
【図３２】
2018179364.tif 000034